(57)【要約】【課題】アッパーケースから機器に衝撃荷重が伝達されるのを抑制可能な電池モジュールを提供すること。【解決手段】電池モジュール１は、二次電池１０と、電池ケース２０と、機器３０と、ブラケット４０と、を備える。電池ケース２０は、ロアケース２２と、アッパーケース２６と、を有する。ブラケット４０は、ロア側接続部４２と、起立部４４と、アッパー側接続部４６と、を有する。機器３０は、起立部４４に支持されている。アッパー側接続部４６は、機器３０の上方を覆うように起立部４４の上端部から張り出す形状を有している。【選択図】図３
2022002186.tif 000002
【特許請求の範囲】
【請求項１】
少なくとも一つの二次電池と、
前記少なくとも一つの二次電池を収容する電池ケースと、
前記電池ケース内に配置された機器と、
前記電池ケース内に前記機器を取り付けるためのブラケットと、を備え、
前記電池ケースは、
前記少なくとも一つの二次電池の下部を収容するロアケースと、
前記ロアケースに接続されており、前記少なくとも一つの二次電池の上部を収容するアッパーケースと、を有し、
前記ブラケットは、
前記ロアケースに接続されるロア側接続部と、
前記ロア側接続部から起立するとともに前記アッパーケースに至るように延びる形状を有する起立部と、
前記起立部の上端部に接続されており、前記アッパーケースに接続されるアッパー側接続部と、を有し、
前記機器は、前記起立部に支持されており、
前記アッパー側接続部は、前記機器の上方を覆うように前記起立部の上端部から張り出す形状を有している、電池モジュール。
【請求項２】
インターロック機能を有するストライカをさらに備え、
前記アッパー側接続部は、前記ストライカを取り付けるための取付部を有し、
前記アッパーケースには、前記ストライカを挿通させる挿通孔が設けられている、請求項１に記載の電池モジュール。
【発明の詳細な説明】
【技術分野】
【０００１】
本開示は、電池モジュールに関する。
【背景技術】
【０００２】
例えば、特開２０１７−９１９０７号公報には、一方向に沿って並ぶように配置された複数の電池セルと、複数の電池セルを収容する電池パックケースと、を備える電池パックが開示されている。電池パックケース内には、Ｌ字状のファンブラケットが設けられており、ファンブラケットには、ファンが取り付けられている。
【先行技術文献】
【特許文献】
【０００３】
【特許文献１】特開２０１７−９１９０７号公報
【発明の概要】
【発明が解決しようとする課題】
【０００４】
特開２０１７−９１９０７号公報に記載されるような電池モジュールでは、ジャンクションボックス等の機器が電池ケース内に設けられたブラケットに取り付けられる場合がある。この場合において、電池ケースの上部から衝撃が加わった場合、アッパーケースから機器に衝撃荷重が伝達される懸念がある。
【０００５】
本開示の目的は、アッパーケースから機器に衝撃荷重が伝達されるのを抑制可能な電池モジュールを提供することである。
【課題を解決するための手段】
【０００６】
本開示の一局面に従った電池モジュールは、少なくとも一つの二次電池と、前記少なくとも一つの二次電池を収容する電池ケースと、前記電池ケース内に配置された機器と、前記電池ケース内に前記機器を取り付けるためのブラケットと、を備え、前記電池ケースは、前記少なくとも一つの二次電池の下部を収容するロアケースと、前記ロアケースに接続されており、前記少なくとも一つの二次電池の上部を収容するアッパーケースと、を有し、前記ブラケットは、前記ロアケースに接続されるロア側接続部と、前記ロア側接続部から起立するとともに前記アッパーケースに至るように延びる形状を有する起立部と、前記起立部の上端部に接続されており、前記アッパーケースに接続されるアッパー側接続部と、を有し、前記機器は、前記起立部に支持されており、前記アッパー側接続部は、前記機器の上方を覆うように前記起立部の上端部から張り出す形状を有している。
【０００７】
この電池モジュールでは、ブラケットの起立部がロア側接続部からアッパーケースに至るように延びる形状を有しているとともに、アッパー側接続部が機器の上方を覆うように起立部の上端部から張り出す形状を有しているため、アッパーケースに衝撃が加わった際に、アッパーケースから機器に衝撃が伝わることが抑制される。
【０００８】
また、インターロック機能を有するストライカをさらに備え、前記アッパー側接続部は、前記ストライカを取り付けるための取付部を有し、前記アッパーケースには、前記ストライカを挿通させる挿通孔が設けられていることが好ましい。
【０００９】
この態様では、ストライカの配置の自由度が高まる。
【発明の効果】
【００１０】
本開示によれば、アッパーケースから機器に衝撃荷重が伝達されるのを抑制可能な電池モジュールが提供される。
【図面の簡単な説明】
【００１１】
【図１】本開示の一実施形態の電池モジュールの構成の一部を概略的に示す斜視図である。
【図２】図１に示される電池モジュールからアッパーケースが取り外された状態を示す斜視図である。
【図３】図１におけるＩＩＩ−ＩＩＩ線での断面図である。
【発明を実施するための形態】
【００１２】
本開示の実施形態について、図面を参照して説明する。なお、以下で参照する図面では、同一またはそれに相当する部材には、同じ番号が付されている。
【００１３】
図１は、本開示の一実施形態の電池モジュールの構成の一部を概略的に示す斜視図である。図２は、図１に示される電池モジュールからアッパーケースが取り外された状態を示す斜視図である。図３は、図１におけるＩＩＩ−ＩＩＩ線での断面図である。この電池モジュール１は、例えば、車両に搭載される。
【００１４】
図１〜図３に示されるように、電池モジュール１は、少なくとも一つの（本実施形態では複数の）二次電池１０と、電池ケース２０と、機器３０と、ブラケット４０と、ストライカ５０と、を備えている。
【００１５】
複数の二次電池１０は、一方向（図３における左右方向）に沿って並ぶように配置されている。各二次電池１０は、直方体形状に形成されている。各二次電池１０、扁平に形成されている。複数の二次電池１０は、当該二次電池１０の厚さ方向が前記一方向と平行となるように配置されている。
【００１６】
電池ケース２０は、複数の二次電池１０を収容している。電池ケース２０は、板金で構成されている。電池ケース２０は、ロアケース２２と、アッパーケース２６と、を有している。
【００１７】
ロアケース２２は、各二次電池１０の下部を収容している。図２及び図３に示されるように、ロアケース２２は、各二次電池１０を支持する底板２３と、アッパーケース２６と接続するためのロア側フランジ２４と、を有している。
【００１８】
アッパーケース２６は、各二次電池１０の上部を収容している。アッパーケース２６は、ロアケース２２に接続されている。図１及び図３に示されるように、アッパーケース２６は、天板２７と、アッパー側フランジ２８と、を有している。
【００１９】
天板２７は、各二次電池１０の上方に配置されている。天板２７は、機器３０の上方を覆う形状を有している。天板２７には、貫通孔（図示略）と、挿通孔（図示略）と、が設けられている。
【００２０】
アッパー側フランジ２８は、ロア側フランジ２４と接続される部位である。ロア側フランジ２４及びアッパー側フランジ２８は、ボルト等で締結されている。
【００２１】
機器３０は、電池ケース２０内に配置されている。機器３０として、ジャンクションボックス等が挙げられる。
【００２２】
ブラケット４０は、電池ケース２０内に機器３０を取り付けるための部材である。ブラケット４０は、ロア側接続部４２と、起立部４４と、アッパー側接続部４６と、を有している。
【００２３】
ロア側接続部４２は、ロアケース２２に接続される部位である。図２に示されるように、ロア側接続部４２は、ボルト等の締結部材５１によってロアケース２２に接続されている。
【００２４】
起立部４４は、ロア側接続部４２から起立するとともにアッパーケース２６に至るように延びる形状を有している。起立部４４は、底板２３及び天板２７の双方に直交していることが好ましい。起立部４４には、機器３０が取り付けられている。換言すれば、起立部４４は、機器３０を支持している。
【００２５】
アッパー側接続部４６は、起立部４４の上端部に接続されており、アッパーケース２６に接続される部位である。図３に示されるように、アッパー側接続部４６は、機器３０の上方を覆うように起立部４４の上端部から張り出す形状を有している。
【００２６】
図１及び図２に示されるように、アッパー側接続部４６には、天板２７の貫通孔に挿通されたボルト等の締結部材５２が取り付けられている。ロア側接続部４２及びアッパー側接続部４６を有するブラケット４０は、ロアケース２２とアッパーケース２６との位置関係を決定する機能を有している。
【００２７】
図２及び図３に示されるように、アッパー側接続部４６は、ストライカ５０を取り付けるための取付部４６ａを有している。図１〜図３に示されるように、アッパー側接続部４６の取付部４６ａには、天板２７の挿通孔に挿通されたストライカ５０が取り付けられている。
【００２８】
ストライカ５０は、電池モジュール１を分解する際のインターロック部品として機能する。
【００２９】
以上に説明したように、本実施形態の電池モジュール１では、ブラケット４０の起立部４４がロア側接続部４２からアッパーケース２６に至るように延びる形状を有しているとともに、アッパー側接続部４６が機器３０の上方を覆うように起立部４４の上端部から張り出す形状を有しているため、アッパーケース２６に衝撃が加わった際に、アッパーケース２６から機器３０に衝撃が伝わることが抑制される。
【００３０】
また、この電池モジュール１では、天板２７にストライカ５０を取り付けることが可能であるため、ストライカ５０の配置の自由度が高まる。
【００３１】
また、ブラケット４０は、ロアケース２２とアッパーケース２６との位置関係を決定する機能を有しているため、ロアケース２２とアッパーケース２６との位置合わせが容易になる。
【００３２】
なお、今回開示された実施形態はすべての点で例示であって、制限的なものではないと考えられるべきである。本発明の範囲は、上記した実施形態の説明ではなく特許請求の範囲によって示され、さらに特許請求の範囲と均等の意味および範囲内でのすべての変更が含まれる。
【符号の説明】
【００３３】
１  電池モジュール、１０  二次電池、２０  電池ケース、２２  ロアケース、２３  底板、２４  ロア側フランジ、２６  アッパーケース、２７  天板、２８  アッパー側フランジ、３０  機器、４０  ブラケット、４２  ロア側接続部、４４  起立壁、４６  アッパー側接続部、４６ａ  取付部、５０  ストライカ。
【図１】
2022002186.tif 000003
【図２】
2022002186.tif 000004
【図３】
2022002186.tif 000005